(57)【要約】【課題】１つの位置で部分的に組み立てることができ、モジュール（１０１−１１０）として現場へ搬送することができ、次いで治療用放射線源（６００）を収容するのに適した構造体として完全に組み立てることのできる構造体（４０）を提供する。【解決手段】モジュールは中央の処理領域（５０）のまわりでバリア（７０）を形成するように放射線シールドフィル材料で充填される補強壁（５１０）を含む。付加的なモジュール（１０６−１１０）は第１の組のモジュール（１０１−１０５）上に置かれ、処理部屋（５０）の上方にバリアを形成する。選択的に引き戻し可能な敷居を備えたドア（１３０）は処理部屋への接近を提供する。放射線設備を含むモジュールは、放射線設備を取り外し、交換できるように取り外し可能な部分内に含まれる。モジュールはまたバリア（７０）により処理から隔離された患者待機部屋及び制御領域（６０）を形成する。
2004529357.tif 000002
【特許請求の範囲】
【請求項１】
放射線源を収容するためのモジュラー構造体において、
中央の処理領域を形成するように接続された複数の自立搬送可能なモジュールと、上記中央の処理領域を実質上取り囲むバリアとを有し、当該中央の処理領域が人間の占拠に適し、治療用の放射線源を収容するようになっており、上記モジュールが支持フレーム構造体及び少なくとも１つの壁を有し、
上記バリアが第１及び第２の離間した剛直な壁と、上記第１及び第２の壁間に収容されたある量の放射線シールドフィラー材料とを有し、上記ある量のフィラー材料は、放射線源が上記中央の処理領域内に置かれたときに、当該中央の処理領域外の測定可能な放射線レベルを実質上減少させるのに十分なものであることを特徴とするモジュラー構造体。
【請求項２】
上記複数のモジュールの少なくとも２つが各々上記第１及び第２の離間した剛直な壁の部分を含み、同部分が上記バリアの一部からなるチャンネルを画定することを特徴とする請求項１に記載のモジュラー構造体。
【請求項３】
少なくとも２つの上記モジュールの上記チャンネルが隣接し、実質上整合することを特徴とする請求項２に記載のモジュラー構造体。
【請求項４】
上記隣接するチャンネルは、１つのチャンネル内に提供された上記放射線シールドフィラー材料が隣接するチャンネル内へ流入できるように、流体連通することを特徴とする請求項３に記載のモジュラー構造体。
【請求項５】
上記中央の処理領域の上方で屋根を形成するように接続された第２の複数の自立搬送可能なモジュールを更に有することを特徴とする請求項１に記載のモジュラー構造体。
【請求項６】
上記屋根が上記中央の処理領域の上方の屋根バリアを含み、同屋根バリアが当該中央の処理領域の上方である量の放射線シールドフィラー材料を支持する剛直な床を有することを特徴とする請求項５に記載のモジュラー構造体。
【請求項７】
上記第２の複数のモジュールが上記第１の複数のモジュールにより形成される上記バリアの上方の部分を含み、当該バリアの上方の上記部分がある量の放射線シールドフィラー材料を含み、上記屋根バリアの一部からなることを特徴とする請求項６に記載のモジュラー構造体。
【請求項８】
上記第１の複数のモジュールにより形成される上記バリアの上方の上記第２の複数のモジュールの上記部分は、上記屋根バリア内に提供された放射線シールドフィラー材料が当該バリア内へ流入できるように、該バリアと流体連通することを特徴とする請求項７に記載のモジュラー構造体。
【請求項９】
上記第２の複数のモジュール及び上記屋根バリアの重量が上記バリアの一部により実質上支持されることを特徴とする請求項８に記載のモジュラー構造体。
【請求項１０】
上記複数のモジュールの部分が上記中央の処理領域及び上記バリアの外部の領域を画定し、同外部の領域が人間の占拠に適した部屋を形成するようになっていることを特徴とする請求項１に記載のモジュラー構造体。
【請求項１１】
上記外部の領域が少なくとも１つの壁と床とを有することを特徴とする請求項１０に記載のモジュラー構造体。
【請求項１２】
上記第１及び第２の複数のモジュールが各々約５３フィート（約１５９０ｃｍ）を越えない長さ、約１４フィート（約４２０ｃｍ）を越えない幅及び約１３フィート６インチ（約４０５．２４ｃｍ）を越えない高さを有することを特徴とする請求項７に記載のモジュラー構造体。
【請求項１３】
上記モジュールの各々がその長さに沿って画定された主軸線を有し、上記第１の複数のモジュールの上記主軸線が互いに実質上平行であり、上記第２の複数のモジュールの上記主軸線が互いに実質上平行であることを特徴とする請求項１２に記載のモジュラー構造体。
【請求項１４】
上記第２の複数のモジュールの上記主軸線が上記第１の複数のモジュールの上記主軸線に対して実質上垂直であることを特徴とする請求項１３に記載のモジュラー構造体。
【請求項１５】
上記複数のモジュールが土台に結合され、上記バリアが上記土台に当接することを特徴とする請求項１に記載のモジュラー構造体。
【請求項１６】
上記複数のモジュールが少なくとも３つのモジュールからなることを特徴とする請求項１２に記載のモジュラー構造体。
【請求項１７】
上記中央の処理領域が少なくとも１つのモジュールの一部を有し、少なくとも１つのモジュールが医学処理装置を支持するためのスチールベースを有することを特徴とする請求項１６に記載のモジュラー構造体。
【請求項１８】
少なくとも１つのモジュールが上記中央の処理領域への接近を提供するドアを有し、同ドアが放射線シールド材料を有することを特徴とする請求項１に記載のモジュラー構造体。
【請求項１９】
上記モジュールの少なくとも２つ間の放射線シールドパネルを有し、同放射線シールドパネルが上記バリアの一部からなることを特徴とする請求項１８に記載のモジュラー構造体。
【請求項２０】
放射線源を収容するためのモジュラー構造体を構築する方法において、
人間の占拠のために及び治療用の放射線源を収容するように寸法決めされ形状づけられた中央の処理領域を形成する工程と；
上記中央の処理領域を実質上取り囲み、複数の自立搬送可能なモジュールの部分からなる少なくとも第１及び第２の離間した剛直な壁により画定されるバリア区域を形成するように上記複数のモジュールを接続する工程と；
上記中央の処理領域を実質上取り囲むバリアを形成するように、かつ放射線源を当該中央の処理領域内に置いたときに該中央の処理領域の外部の測定可能な放射線レベルを実質上減少させるのに十分なある量の放射線シールドフィラー材料を上記バリア区域へ送給する工程と；
を有することを特徴とする方法。
【請求項２１】
上記バリア区域を形成する上記複数のモジュールのうちの少なくとも２つのモジュールの部分を、放射線シールドフィラー材料が上記部分間で流れることができるように、流体連通させる工程を更に有することを特徴とする請求項２０に記載の方法。
【請求項２２】
上記中央の処理領域の上方で屋根バリア区域を形成するように第２の複数の自立搬送可能なモジュールを上記第１の複数に接続する工程と；
上記中央の処理領域の上方で屋根バリアを形成するように、かつ放射線源を上記中央の処理領域内に置いたときに当該中央の処理領域の外部の測定可能な放射線レベルを実質上減少させるのに十分なある量の放射線シールドフィラー材料を上記屋根バリア区域へ送給する工程と；
を更に有することを特徴とする請求項２１に記載の方法。
【請求項２３】
上記屋根バリア内に提供された放射線シールドフィラー材料が上記バリア内へ流入できるように、当該屋根バリアの部分を当該バリアに流体連通させる工程を更に有することを特徴とする請求項２２に記載の方法。
【請求項２４】
各々が約５３フィート（約１５９０ｃｍ）を越えない長さ、約１４フィート（約４２０ｃｍ）を越えない幅及び約１３フィート６インチ（約４０５．２４ｃｍ）を越えない高さを上記第１の複数のモジュールに提供する工程を更に有することを特徴とする請求項２３に記載の方法。
【請求項２５】
上記バリアを形成する上記第１及び第２の離間した剛直な壁の部分を含む上記複数のモジュールの少なくとも１つで上記バリア区域の部分を形成する工程を更に有し、上記少なくとも１つのモジュールの上記壁が当該壁上の剛直な補強部材及び該壁間に装着された剛直な支持部材を含むことを特徴とする請求項２１に記載の方法。
【請求項２６】
上記複数のモジュールの少なくとも２つが長い側部と短い側部とを有し、上記方法が上記中央の処理領域を形成すべく、上記複数のモジュールのうちの一方の上記長い側部を当該複数のモジュールのうちの他方の上記長い側部に接続する工程を更に有する特徴とする請求項２５に記載の方法。
【請求項２７】
上記壁の頂部と底部との間でほぼ装着された剛直な支持部材で、上記バリア区域を構成する上記壁上の上記放射線シールドフィラー材料の横方向の力荷重の少なくとも一部を支持する工程を更に有することを特徴とする請求項２５に記載の方法。
【請求項２８】
上記複数のモジュールの少なくとも１つが上記バリアの外部の領域から上記中央の処理領域への接近を提供する放射線シールドドアを含むことを特徴とする請求項２０に記載の方法。
【請求項２９】
上記複数のモジュールの少なくとも１つが上記バリアを構成する上記第１及び第２の離間した剛直な壁の部分を含み、上記壁が当該壁間で装着された剛直な補強部材及び剛直な支持部材を含むことを特徴とする請求項２８に記載の方法。
【請求項３０】
放射線処理センターを形成するための装置において、
各々が支持フレームと、その間にチャンネルを画定する少なくとも２つの離間した剛直な壁とを有する複数の自立モジュールであって、各々が主軸線を有する矩形の立体をほぼ画定する外側寸法を有する複数のモジュールを備え；
上記モジュールが中央の処理領域を実質上取り囲むバリア区域を形成するように互いに接続されるようになっており、上記バリア区域が当該モジュールの上記チャンネルからなり、該モジュールのうちの少なくとも２つのモジュールの当該チャンネルは、１つのチャンネル内に提供された放射線シールドフィラー材料が隣接するチャンネル内へ流入できるように、流体連通しており；
少なくとも１つが補強された床部分を有するような第２の複数の自立モジュールであって、上記補強された床部分が上記中央の処理領域の上方で同中央の処理領域を実質上覆うように上記第１の複数のモジュールの頂部上に置かれ、かつ同第１の複数のモジュールに接続される第２の複数のモジュールを更に備え；
上記第２の複数のモジュールは、同第２の複数のモジュール内に提供された放射線フィラー材料が上記バリア区域内へ流入できるように、当該バリア区域の上方で整合し、同バリア区域に流体連通する部分を有する；
ことを特徴とする装置。
【請求項３１】
上記モジュールの各々が約５３フィート（約１５９０ｃｍ）を越えない長さ、約１４フィート（約４２０ｃｍ）を越えない幅及び約１３フィート６インチ（約４０５．２４ｃｍ）を越えない高さを有することを特徴とする請求項３０に記載の装置。
【請求項３２】
上記複数のモジュールの少なくとも１つが上記壁上でほぼ垂直に装着された剛直な補強部材と、当該壁間で装着された剛直な支持部材とを有することを特徴とする請求項３１に記載の装置。
【請求項３３】
上記モジュールの少なくとも１つが当該モジュールの上記チャンネルの上方で実質上開いた頂部と、該モジュールの当該チャンネルの下方で実質上開いた底部とを有することを特徴とする請求項３２に記載の装置。
【請求項３４】
構造体を形成するための搬送可能なモジュールにおいて、
底表面と、頂表面と、少なくとも第１及び第２の離間した側表面とを画定する自立搬送可能なフレーム構造体；
上記フレームに装着された一対の離間した補強された壁であって、同壁間にチャンネル空間を画定する一対の壁；及び
上記壁を強制的に引き離すように上記チャンネルの内部から作用する横方向の力に対抗するために当該壁間の上記チャンネル空間内に装着された剛直な支持体；
を有し、上記壁間の上記チャンネル空間の実質的な部分は、当該チャンネル空間がその頂部及び底部で開いているように、天井又は床を含まず、そのため、粒状フィル材料を上記頂表面の上方から当該チャンネル空間内へ提供することができかつ同チャンネル空間を全体的に満たすことができ、
上記モジュールが、複数のモジュールからなる構造体の構築を容易にするために、実質的な変形を伴わずに、標準のコンテナ移動器によりその端部で持ち上げることができる、
ことを特徴とするモジュール。
【請求項３５】
垂直に延びる支持体が補強を提供するために上記壁に装着されることを特徴とする請求項３４に記載のモジュール。
【請求項３６】
上記フレーム構造体及び上記壁がスチールで構成されることを特徴とする請求項３５に記載のモジュール。
【請求項３７】
上記壁により画定された上記チャンネル空間の外部で上記フレーム構造体に装着された床を更に有し、もって、床を含む部分が仕上がり部屋となるような内部仕上げに適することを特徴とする請求項３４に記載のモジュール。
【請求項３８】
ドアを通る放射線を選択的に遮断する装置において、
それぞれが放射線シールド材料で構成されたドア及び同ドアに隣接する引き戻し可能な敷居と；
上記ドアが閉じたときに上記敷居を上昇させ、当該ドアが開いたときに当該敷居を下降させる持ち上げ機構と；
を有し、上記敷居は、上記ドアが閉じたときには同ドアの下の放射線漏洩を遮断し、当該ドアが開いたときには同ドアを通しての実質的に妨害されない接近を可能とすることを特徴とする装置。
【請求項３９】
上記敷居の一部は、上記ドアが閉じたときに、同ドアの底部の上方に位置することを特徴とする請求項３８に記載の装置。
【請求項４０】
上記敷居は、上記ドアが開いたときに、実質上それ自体の重量により引き戻されることを特徴とする請求項３９に記載の装置。
【請求項４１】
放射線源を収容するためのモジュラー構造体において、
中央の処理領域を形成するように接続された複数の自立搬送可能なモジュールと、上記中央の処理領域を実質上取り囲むバリアとを有し、当該中央の処理領域が人間の占拠のために及び治療用の放射線源を収容するために適しており、上記モジュールの少なくとも１つが上記中央の処理領域の一部を形成し、同中央の処理領域内の放射線設備の一部を保持するための支持フレームを有し；
上記バリアが第１及び第２の離間した剛直な壁と、同第１及び第２の壁間に収容されたある量の放射線シールドフィラー材料とを含み、上記ある量のフィラー材料は、放射線源が上記中央の処理領域内に置かれたときに、当該中央の処理領域外の測定可能な放射線レベルを実質上減少させるのに十分なものであることを特徴とする構造体。
【請求項４２】
上記支持フレームを有する上記少なくとも１つのモジュールが、少なくとも、当該支持フレームを含む第１の区分と、上記第１の区分に着脱自在に結合された第２の区分とを有し、
上記第１の区分が上記処理領域からの上記放射線設備の除去を可能にするように上記第２の区分から除去することができ、当該第１及び第２の区分が上記バリア区域の一部を形成し、
上記第２の区分が、上記第１の区分と、当該第２の区分の上記バリア区域の部分との間に、当該第１の区分が除去されている間に上記放射線シールドフィラー材料を収容するための壁を有することを特徴とする請求項４１に記載の構造体。
【請求項４３】
屋根バリア区域を形成するように上記第１の複数の上方に第２の複数のモジュールを更に有し、上記第１の区分の上記バリア区域の上方の上記第２の複数のモジュールの少なくとも１つは、当該第１の区分が除去されているときに、放射線シールドフィラー材料を上記屋根バリア区域内に保持するための床部材を有することを特徴とする請求項４２に記載の構造体。
【発明の詳細な説明】
【技術分野】
【０００１】
本発明は一般に、放射線源を収容し、その源の近くで働く人間をシールドするための構造体及びその部分に関する。特に、排他的ではないが、本発明は治療用放射線源を収容するための構造体を構成する構造体及び方法に関する。
【背景技術】
【０００２】
放射線は種々の方法で患者の診断及び処置に使用される。しかし、制御された服用量は患者にとって有利となることがあるが、放射線を用いて働く者や単にそのまわりにいる者を、放射線の有害効果から保護する必要がある。従って、周囲領域にいる者から放射線源を隔離し、設備の通常の使用に関連するレベルから、かつまた、ある程度放射線設備での事故に対してある保護を提供するために、シールドが伝統的に設けられる。
【発明の開示】
【発明が解決しようとする課題】
【０００３】
しかし、コンクリート壁又は土の土手により伝統的に提供されるシールドの必要性は多くの位置における放射線処理センターの可能性を大幅に制限する。この制限は、少なくとも一部は、建造物を構成する際の高コスト及び周囲の構造体や土地の新たな開発に便宜をはかるためのセンターの容易な解体又は除去を行えないことに由来する。従って、患者の要求が施設を必要とするようないかなる場所にもそのような施設の配置を可能にするために、放射線処理センターを迅速かつ経済的に構成するための装置及び技術が要求される。本発明の種々の実施の形態はこれら及び他の要求を処理する。
【課題を解決するための手段】
【０００４】
本発明は、１つの位置で部分的に組み立てることができ、現場へ搬送でき、次いで、治療用放射線源を収容するのに適し、それで患者を処置する構造体へと完全に組み立てることのできる新規な構造体を提供する。構造体は放射線設備の一部を含む中央の処理領域のまわり及びその上方にバリアを提供するために放射線フィル材料を収容するための手段を有することができ、構造体は処理領域への接近を選択的に許容する手段を有する。接近手段はシールドされたドアを含むことができ、このドアは、ドアの開放時に引き戻り、ドアが閉じたときに上昇してドアを通って放射線が逃げるのに抵抗する引き戻し可能な敷居を有することができる。構造体はまた、バリアのいかなる実質的な部分をも除去することなく、バリアの構成後に放射線設備の除去及び交換を許容するようにすることができる。
【０００５】
１つの実施の形態において、放射線源を収容するためのモジュラー構造体が提供され、このモジュール構造体は、中央の処理領域を形成するように接続された複数の自立搬送可能なモジュールと、中央の処理領域を実質上取り囲むバリアとを有し、中央の処理領域は人間の占拠に適し、治療用の放射線源を収容するようになっており、モジュールは支持フレーム構造体及び少なくとも１つの壁を有し、バリアは第１及び第２の離間した剛直な壁と、第１及び第２の壁間に収容されたある量の放射線シールドフィラー材料とを有し、ある量のフィラー材料は、放射線源が中央の処理領域内に置かれたときに、中央の処理領域外の測定可能な放射線レベルを実質上減少させるのに十分なものである。種々の改良点において、モジュールの少なくとも２つは第１及び第２の離間した剛直な壁の部分を含み、これらの部分はバリアの一部からなるチャンネルを画定し、少なくとも２つのモジュール内のチャンネルは隣接し、実質上整合する。隣接するチャンネルは、１つのチャンネル内に提供された放射線シールドフィラー材料が隣接するチャンネル内へ流入できるように、流体連通される。モジュラー構造体は中央の処理領域の上方で屋根バリアを形成するように接続された第２の複数の自立搬送可能なモジュールを有し、屋根バリアは中央の処理領域の上方である量の放射線シールドフィラー材料を支持する剛直な床を有する。第２の複数のモジュールは第１の複数のモジュールにより形成されたバリアの上方の部分を含み、バリアの上方のこれらの部分はバリアに流体連通し、ある量の放射線シールドフィラー材料を含む。複数のモジュールの部分は中央の処理領域及びバリアの外部の領域を画定し、この外部の領域は人間の占拠に適する部屋を形成するようになっている。第１及び第２の複数のモジュールは各々約５３フィート（約１５９０ｃｍ）を越えない長さ、約１４フィート（約４２０ｃｍ）を越えない幅及び約１３フィート６インチ（約４０５．２４ｃｍ）を越えない高さを有する。各モジュールはその長さに沿って画定された主軸線を有し、第１の複数のモジュールの主軸線は互いに実質上平行であり、第２の複数のモジュールの主軸線は互いに実質上平行である。
【０００６】
また、放射線源を収容するための構造体を構成する新規な方法が開示される。この方法は人間の占拠のために及び治療用の放射線源を収容するように寸法決めされ形状づけられた中央の処理領域を形成する工程と、中央の処理領域を実質上取り囲み複数のモジュールの部分からなる少なくとも第１及び第２の離間した剛直な壁により画定されるバリア区域を形成するように複数の自立搬送可能なモジュールを接続する工程と、中央の処理領域を実質上取り囲むバリアを形成するように、放射線源を中央の処理領域内に置いたときに中央の処理領域の外部の測定可能な放射線レベルを実質上減少させるのに十分なある量の放射線シールドフィラー材料をバリア区域へ送給する工程と、を有する。種々の改良点において、方法は、バリア区域を形成する複数のモジュールのうちの少なくとも２つのモジュールの部分を、放射線シールドフィラー材料がこれらの部分間で流れることができるように、流体連通させる工程と、中央の処理領域の上方で屋根バリア区域を形成するように第２の複数の自立搬送可能なモジュールを第１の複数に接続する工程と、中央の処理領域の上方で屋根バリアを形成するようにある量の放射線シールドフィラー材料を屋根バリア区域へ送給する工程と、屋根バリア内に提供された放射線シールドフィラー材料がバリア内へ流入できるように、屋根バリアの部分をバリアに流体連通させる工程とを更に有する。バリア区域の部分は壁を備え、これらの壁は壁上の剛直な補強部材と、壁間で装着された剛直な支持部材とを有する。更に別の改良点において、複数のモジュールは長い側部と短い側部とを有し、構造体は中央の処理領域を形成するように一方の複数のモジュールの長い側部を他方の複数のモジュールの長い側部に接続することにより形成される。モジュールの１つのドアを通してバリアの外部の領域から中央の処理領域への人間の接近が提供される。
【０００７】
また、放射線処理センターを形成するための新規な装置が提供され、この装置は、各々が支持フレームと、その間にチャンネルを画定する少なくとも２つの離間した剛直な壁とを有する複数の自立モジュールであって、各々が主軸線を有する矩形の固体をほぼ画定する外側寸法を有する複数のモジュールを備え、モジュールは中央の処理領域を実質上取り囲むバリア区域を形成するように互いに接続されるようになっており、バリア区域はモジュールのチャンネルからなり、モジュールのうちの少なくとも２つのモジュールのチャンネルは、１つのチャンネル内に提供された放射線シールドフィラー材料が隣接するチャンネル内へ流入できるように、流体連通しており、少なくとも１つが補強された床部分を有するような第２の複数の自立のジュールが更に設けられ、第２の複数のモジュールは第１の複数のモジュールの頂部上に置かれ、第１の複数のモジュールに接続されるようになっており、補強された床部分は中央の処理領域の上方で中央の処理領域を実質上覆い、第２の複数のモジュールは、第２の複数のモジュール内に提供された放射線フィラー材料がバリア区域内へ流入できるように、バリア区域の上方で整合し、バリア区域に流体連通する部分を有する。
【０００８】
また、構造体を形成するための搬送可能な新規なモジュールが提供され、このモジュールは、底表面と、頂表面と、少なくとも第１及び第２の離間した側表面とを画定する自立搬送可能なフレーム構造体と、フレームに装着された一対の離間した補強された壁であって、壁間にチャンネル空間を画定する一対の壁と、壁を強制的に引き離すようにチャンネルの内部から作用する横方向の力に対抗するために壁間のチャンネル空間内に装着された剛直な支持体と、を有し、壁間のチャンネル空間の実質的な部分は、チャンネル空間がその頂部及び底部で開くように、天井又は床を含まず、そのため、粒状フィル材料を頂表面の上方からチャンネル空間内へ提供することができかつチャンネル空間を全体的に満たすことができ、モジュールは複数のモジュールを有する構造体の構成を容易にするために、実質的な偏向を伴わずに、標準のコンテナ移動器によりその端部で持ち上げることができる。
【０００９】
また、構造体を形成するための搬送可能なモジュールが提供され、このモジュールは、底表面と、頂表面と、少なくとも第１及び第２の離間した側表面とを画定する自立搬送可能なフレーム構造体と、フレームに装着された一対の離間した補強された壁であって、壁間にチャンネル空間を画定する一対の壁と、壁を強制的に引き離すようにチャンネルの内部から作用する横方向の力に対抗するために壁間のチャンネル空間内に装着された剛直な支持体と、を有し、壁間のチャンネル空間の実質的な部分は、チャンネル空間がその頂部及び底部で開くように、天井又は床を含まず、そのため、粒状フィル材料を頂表面の上方からチャンネル空間内へ提供することができかつチャンネル空間を全体的に満たすことができ、モジュールは、複数のモジュールを有する構造体の構成を容易にするために、実質的な偏向を伴わずに、標準のコンテナ移動器によりその端部で持ち上げることができる。
【００１０】
また、ドアを通る放射線を選択的に遮断する装置が提供され、この装置は、それぞれが放射線シールド材料で構成されたドア及びこのドアに隣接する引き戻し可能な敷居と、ドアが閉じたときに敷居を上昇させ、ドアが開いたときに敷居を下降させる持ち上げ機構とを有し、敷居は、ドアが閉じたときにはドアの下の放射線漏洩を遮断し、ドアが開いたときにはドアを通しての実質的に妨害されない接近を許容する。更なる改良点において、敷居の一部は、ドアが閉じたときに、ドアの底部の上方に位置し、敷居は、ドアが開いたときに、実質上それ自体の重量により引き戻される。
【発明を実施するための最良の形態】
【００１１】
【実施例】
【００１２】
本発明の原理の理解を促進する目的で、図面に示す実施の形態をここで参照し、実施の形態を説明するために特定の用語を使用する。しかしながら、それによって本発明の範囲を限定する意図はなく、図示の構造体及び方法における変形や更なる修正及びここで示すような本発明の原理の更なる応用は本発明に関連する当業者にとって通常行われるように期待できることを理解されたい。
【００１３】
ここで図１、２に戻ると、治療用の放射線設備を収容するための構造体４０が示されている。構造体４０は放射線療法アーチ形部屋５０を形成するように組み立てられ、適所でのすべての準備及び仕上げのための区分即ち部品として現場へ送給できるモジュラーユニットである。ここではポッド又はモジュールとして参照される個々の区分１０１−１１０は好ましくは各々レール、船又は陸路フライトにより搬送でき、クレーン又はコンテナ移動器の如き普通に利用できる設備を使用して一緒に組み立てることができる。更に、ポッドは好ましくは州間高速道路上での走行に関連する米国輸送部門（ＤＯＴ）の規則を満たすように作られる。現在では、ＤＯＴのコードはトラクタ及びトレーラを含む８５，０００ポンド（約３８．６トン）の重量制限、及び、１４フィート（約４２０ｃｍ）を越えない幅、１３フィート６インチ（約４０５．２４ｃｍ）を越えない高さ及び５３フィート（約１５９０ｃｍ）を越えない長さの寸法制限を含む。
【００１４】
ここで図１−４を参照すると、組み立てられたものとして、モジュラー構造体４０は合計１０個のポッドを含み、２又はそれ以上の内部部屋を有する。１つの部屋５０は放射線療法を遂行するために使用することのできる設備を収容するようになっており、他方の部屋６０は部屋５０内に収容された設備を作動させる放射線治療者により使用するのに適する制御領域として使用されるようになっている。どちらかの部屋５０及び（又は）部屋６０は、例えば患者待機領域又は多数の処理領域を提供するために、付加的な部屋へと更に分割できる。モジュラーユニット４０はまた処理領域５０のまわりでのバリア７０及び処理領域５０の上方での屋根バリア８０を形成するように放射線シールド材料で満たすことのできる一連の内部及び隣接コンテナを有する。放射線シールド材料は砂の如き流動可能な及び（又は）粒状の材料とすることができる。
【００１５】
５つのポッド（基礎ポッドとして参照するポッド１０１−１０５）は建造物４０（図３参照）の基礎を形成するために使用される。付加的な５つのポッド（屋根ポッドとして参照されるポッド１０６−１１０）は基礎ポッド（図４参照）の頂部上にこれと垂直に置かれる。５つの屋根ポッドについては、４つのポッド（「屋根シールドポッド」として参照されるポッド１０６−１０９）は屋根バリア８０により垂直方向における付加的な放射線シールドを与え、一方、ポッド１１０は貯蔵領域として主に使用される。
【００１６】
ポッド１０２、１０３、１０４は内部作業空間即ち療法部屋５０を形成するように一緒に接続する。これらのポッドは連続的な邪魔されない空間、例えばほぼ２４フィート（約７２０ｃｍ）の幅及び２０フィート（約６００ｃｍ）の長さを持つ空間を形成するように整合する。ポッド１０３は大半の医療設備を収容する中央の基礎ポッドとして作用し、電力に対する迅速な接続及び医療設備６００のための装着台を有する。そのうえ、すべての基礎ポッド間のジョイントに沿って風雨シールを組み込むことができる。
【００１７】
ポッド１０１はポッド１０２の外部側部に取付けられ、ポッド１０５はポッド１０４の外部側部に取付けられる。これらの２つのポッド（ポッド１０１及びポッド１０５）は、ポッド１０２−１０４の部分と一緒に、バリア７０を形成するために放射線シールド材料を受け入れる。バリア７０は部屋５０のすべての側部のまわりを実質上延び、ポッド１０２は処理部屋５０への接近を許容するドアを含む。屋根シールドポッド（ポッド１０６−１０９）は５つの基礎ポッドの上方に置かれてこれらのポッドに接続し、少なくともポッド１０１、１０５は屋根ポッドの荷重を支持するために屋根支持構造体１２０、１２２を含む。ポッド１０６−１０９は放射線シールドの目的で使用され、一方、ポッド１１０は電気設備、電話設備及び他の有用物を収容するために取っておくことができる。
【００１８】
組立てのために、コンクリートスラブの如き適当な土台が最初に形成される。次いで、土台は平らにされ、第１の基礎ポッド、例えばポッド１０３が土台の上に置かれて土台に係留される。次いで、残りの基礎ポッドが順次置かれ、それぞれの隣接ポッド及土台に取付けられ、風雨シールが隣接するポッドと土台との間に形成される。次いで、放射線シールド材料の部分がバリア７０を形成するために種々の基礎ポッドのコンテナ内へポンピングすることができる。
【００１９】
放射線シールド材料での種々の基礎ポッドのコンテナの充填の前又は後に、屋根ポッドを５つの基礎ポッドの上に置き、これらに取付けることができる。次いで、基礎ポッドと屋根ポッドとの間及び隣接する屋根ポッド間に風雨シールを形成することができる。次いで、モジュラー構造体４０をシールド材料で充填することができる。次いで、電気、水および排水をモジュラーユニットに接続することができる。モジュラーユニットとして構造体４０を提供することにより、現場へのポッドの到着から仕上がり構造体４０までの組立て時間を最小化できる。構造体４０の形成はほんの数日（３−４日）しか掛からず、放射線処理設備に対して伝統的に必要であった時間及びコストを大幅に減少させることが考慮される。
【００２０】
ポッドの一般的なレイアウト及び構造体の形成を説明したので、個々のポッドの一層特定の特徴を説明する。各ポッドは標準の８×４０フィートの延長した高さ（９フィート６インチ；約２８５．２ｃｍ）の搬送コンテナとほぼ同じ外形寸法として作ることができる。ポッドは搬送可能であり、これは、ポッドが陸路フライトのためのＤＯＴ規則及びコードを満たすことを意味する。随意として、各々はまたコンテナ移動器により終点から持ち上げることができるように剛直に構成することができる。ポッドはまた、例えば外洋航行船内での輸送中に、５個のポッドの高さに積み重ねられるように形成することができる。ポッドはまた各々９６，０００ポンド（約４３．６トン）の総重量を有する他のコンテナ形式で搬送され、重ねられルように構成することができる。あらゆるシールド又は支持構造体又は他の一体の素子を含むが放射線シールドフィル材料を伴わない各ポッドの搬送重量は最も好ましくは特殊な許可なくトラックにより移動するためのＤＯＴ搬送規則と矛盾しない。
【００２１】
特に、各ポッドはポッドの外縁をほぼ画定するスチール製の外部の骨格即ちフレーム９０（図５参照）で構成される。フレーム９０は好ましくはポッドの実質上矩形の固体形状の境界を形成するように一緒に溶接、ボルト止め又は他の方法で固定締結された正方形のチャンネル及び平坦な板スチールで形成される。「Ｃ」形状の梁９２は各ポッドの矩形の基礎の長い下方側部を形成し、角度のついたレール９６が上方の境界を形成する。矩形のポスト９４は上方９６及び下方９２のレール間の４つの側縁を形成する。存在する場合、壁セグメントは（例えば溶接又はリベットにより）骨格即ちフレーム９０の内部に固定され、あらゆる壁又は床セグメントは平坦なシートスチールで形成された放射線フィル材料を収容することを意図する。他の壁、床又は天井セグメントはフレームに装着することができ、あらゆる適当な建造物材料で形成することができる。壁、床又は天井セグメントがあらゆる個別のポッド内に存在しないか又は非荷重支持構造である場合、ポッドの構造上の剛性は、フレーム９０のセグメント間に剛直な支持部材を設けることにより、増大させることができる。
【００２２】
ここで、図５に戻ると、ポッド１０１は２つの区域、フィル領域２１０及び仕上げ可能領域２１２として構成される。フィル領域２１０はバリア７０の一部を形成し、領域２１０内に提供された放射線シールド材料が土台と実質上連続できるように、床を含まない。領域２１０はまた天井を有しない。仕上げ可能領域２１２はポッド１０２へ結合する区分に沿って側壁を有しないが、床を設けることができる。領域２１２の内部は患者の領域とするように床、壁及び天井の内部仕上げに適するようにすることができる。
【００２３】
フィル領域２１０は対向して位置する垂直の内側及び外側壁２１４、２１６並びに側壁２１５、２１７により画定される。随意として、内側壁２１６は隣接するバリア区域間でのフィル材料の流れを許容するようにポッド１０２のバリア区域に結合する部分において少なくとも部分的に存在しない。各壁は剛直であり、実質的な変形を伴わずに放射線フィル材料の荷重を収容するように補強することができる。各壁は平坦なパネルスチールで構成され、壁の長さに沿った離間間隔でそれに溶接又は他の方法で取付けられた複数の垂直に指向した支持体２０２を有する。壁の長さを跨ぐのに２以上の壁パネル５１０が必要な場合は、支持体２０２はまた壁材料の隣接するパネルを接続する役目を果たす（図５Ｂ参照）。支持体は細長い部片であり、隣接するスチール壁区分５１０に溶接又はリベット止めされた１つの平坦な部分２０２ｂ及び壁パネル５１０に実質上垂直な第２の平坦な部分２０２ａを有する「Ｌ」形状の横断面を持つ。支持体２０２の垂直に延びる部分は先細りとなっていて、これらの部分が、フィル材料からの最大の横方向の力が作用することのある壁の底部において一層厚くなるようにする。（図５Ａ参照）
放射線フィル領域における付加的な横方向の支持に対しては、剛直な水平の支持体２０４がまた、ほぼ壁の頂部分（図５Ａにおける２０４ａ）と底部分（２０４ｂ）との間に取付けられるか又は均等にフレーム構造体９０に直接取付けられる。スチール製の支持体２０４は壁２１６、２１４間を延び、又、角度をなして壁２１５と壁２１６、２１４との間及び壁２１７と壁２１４、２１６との間で延びている。
【００２４】
典型的な使用においては、コンテナ２１０の壁上の横方向の力はほぼ一平方インチ当り６．４ポンドの圧力で１７０，０００ポンド（約７７．２トン）になり得る。最大の横方向の力はポッド１０１の頂部の屋根ポッドからのフィルの重量により増大することがあり、壁材料、厚さ及び支持体は荷重を支持するように選択すべきである。
【００２５】
ポッドの種々の部分が経験する実際の荷重及び圧力、はここで存在するいかなる見積もり荷重からいずれの方向においても１０又はそれ以上のファクターにより変り得ることを理解すべきである。中でも、これらの典型的な荷重はフィル材料の密度に依存するものと予期することができる。更に、壁及び（又は）関連する支持体はあらゆる特定の応用に対する予期される荷重に数倍耐えるように設計することができる。
【００２６】
更に、ポンプ又は他の適当な充填機構がシールド材料のコンテナ２１０を充填し及び空にすることができるように、コンテナ２１０の壁に沿って適当な間隔で接近ポートを配置することができる。代わりに、フィル部分２１０はその開いた頂部及び底部を通して充填し及び空にすることができる。
【００２７】
ポッド１０１は鉛板の如き付加的なシールドを付加できるような中央区域２１８を含むように構成される。例えば、領域２１８は８フィート（約２４０ｃｍ）の幅、９．５フィート（約２８５ｃｍ）の高さ及び７インチ（約１７．７８ｃｍ）の厚さとすることができ、ポッド１０１の中央の近傍又は（例えば部屋５０内の医療装置の方位及び使用に応じて）比較的大きな放射線レベルが予期されるいかなる場所にも位置させることができる。この目的のために種々のシールド材料を使用することができ、これらの材料はポッドの受動の即ち構造上の部分とすることができる。対角線的に延びる剛直な横方向の支持体２１９は付加的なシールド材料のあらゆる付加的な重量を支えるために設けられる。
【００２８】
屋根シールドポッドは基礎ポッドに垂直にポッド１０１の頂部に置かれ、放射線シールド材料で充填される。充填された屋根シールドポッドの重量は各々２５０，０００ポンド（約１１３．５トン）ほどの大きさとすることができ、その荷重のすべてはポッド１０１及びポッド１０５により実質上支持することができる。ポッド１０１は、４つの屋根シールドポッドの重量の半分を保持し、重量を下方の土台へ移送するように、壁の一部として屋根支持体１２０を含む。上述のように、他の基礎ポッドの同様のフィル領域と同様に、部分２１０の大半は屋根ポッドとの流体連通を許容するために開いた頂部を有する。
【００２９】
ここで、図６に戻り、図３、４を参照し続けると、ポッド１０２はポッド１０１に隣接する。ポッド１０２はまたその中に数個の区域を有する。区域２２０は８フィート（約２４０ｃｍ）の幅、６フィート（約１８０ｃｍ）の深さ及びポッドの全高さを有する。この区域はポッドの後部に位置し、バリア７０の一部を形成する。放射線シールド材料で充填されたとき、部分２２０内のフィルの重量は、重量のほぼ６．４ポンド／平方インチ（約４．５トン／平方メートル）で、４４０，０００ポンド（約１９９．８トン）となり得る。領域２２０は床又は天井を含まず、そのため、シールド材料は土台及び屋根バリアに実質的に連続することができる。側壁上の横方向の力は３４，０００ポンド（約１５．４トン）となることがあり、最大の横方向の力はこのポッドの頂部の屋根シールドポッドからのフィルの重量により増大することがあった。壁材料、厚さ及び支持体はこれらの典型的な荷重又はあらゆる特定の応用に対する荷重を支持するように選択すべきである。
【００３０】
領域２２１はアーチ形ドア３０を収容する。ドア１３０は５フィート（約１５０ｃｍ）の幅及び７．５フィート（約２２５ｃｍ）の高さを有する。ドアは８インチ（約２０．３２ｃｍ）の厚さの中空のスチール製ドアである。ドアの中空の部分は４インチ（約１０．１６ｃｍ）の鉛及び３．８インチ（約９．６５ｃｍ）のホウ化ポリエチレンで充填することができる。そのフレーム及びフレームに隣接する付加的な壁シールドを伴うドアの重量はほぼ１０，０００ポンド（約４．５トン）になると考慮される。
【００３１】
ドア１３０は領域２２１ａ、２２１ｂ間に位置し、これらの領域は、領域２２０と同様に、放射線フィル材料を受け入れるようになっている。ドア１３０は処理部屋５０から制御部屋６０又は患者領域６５（その一部は領域２２２である）を分離し、交互の接近を許容する。領域２２２はまた患者領域６５への接近を許容するように局部建造物コードに矛盾しない標準の外部ドアを含む。
【００３２】
部分２２３，２２２は患者領域となるように床、壁及び天井の内部仕上げに適する。これらはまた、電気及び照明への迅速な接続並びにアーチ形ドア１３０の作動のための準備を設けることができる。
【００３３】
ポッド１０２はまた、（放射線部屋への入口に伝統的に設けられるような）迷路シールド壁が無い場合又は迷路が放射線漏洩を十分に遮断するのに不十分な場合に、放射線の漏出に対する付加的な保護のために使用すべきドアジャム機構を含む。この機構はアーチ形ドア１３０の閉鎖時にドア１３０に隣接するように移動して放射線漏洩を遮断する引き戻し可能な敷居１３２に結合された持ち上げ機構を含む。敷居１３２は引き戻され、ドアの開放時にその位置へ戻る。持ち上げ機構はパンケーキシリンダとして知られる形式の一対の液圧シリンダ１３４、１３６（図１４、１４Ａ参照）を含むことができる。閉じるドアの力の下に作動できるギア又はレバー組立体も使用することができる。持ち上げ機構（シリンダ１３４、１３６）は、例えばドア及びドアジャムにそれぞれ装着された一対の共働する磁気センサを設けることにより、ドアが開いたか閉じたかを感知するスイッチにより電子的又は液圧的に作動される。好ましくは、敷居１３２は、ドア１３０又は敷居１３２が部屋からの放射線の漏洩を許容する位置にあるときに機械６００の使用が禁止されるように、一対のドアスイッチ及び（又は）放射線機械６００に電子的に相互係止される。
【００３４】
ドアジャムは通常隠れており、そこを横切って作業する人間の障害にならないように床と同じレベルにある。アーチ形ドア１３０が閉じたとき、シリンダ１３４、１３６はドアの底部の上方へ敷居を上昇させ、ドアの下からの放射線漏洩を遮断する。いずれかの緊急の場合、ドアジャムの移動機構はアーチ形ドアに関連して働くことができ及び（又は）手動で作動することができる。例えば、ドアジャムは、パワー故障の場合に、敷居１３２がその自重により自動的に引き戻るように、上昇位置に留まるために電気パワーを必要とすることができる。大半のセンターがアーチ形ドアの下にあらゆる形式のシールを利用しないので、ドアジャムはあらゆる放射線療法センターのための向上となる。ドアジャムはモジュラー装置の使用に制限されず、本開示が提供されたときに当業者が行うであろうあらゆる形式のドアに追加導入することができる。
【００３５】
ポッド１０３はポッド１０２とポッド１０４との間に位置する。このポッドは８×４０フィートの延長した高さ（９フィート６インチ；約２８５．２ｃｍ）の搬送コンテナと同じ外形寸法として作るべきである。仕上げたとき、このポッドはＤＯＴ規則及びコードを満たし、コンテナ移動器により終点から持ち上げることができる。
【００３６】
図７に示すように、ポッド１０３は４つの区分に分割される。区分３０２、３０６は天井又は床を含まないフィル領域であり、隣接するポッドのフィル領域へ開いている。側壁上の横方向の力は３４，０００ポンド（約１５．４トン）であるが、最大の横方向の力はこのポッドの頂部の屋根シールドポッドからのフィルの重量により増大し得る。壁材料、厚さ及び支持体はこの典型的な荷重又はあらゆる特定の応用により要求される荷重を支持するように選択すべきである。真空ポンプがシールド材料をコンテナに充填し及び空にすることができるように、適当な間隔で接近ポートを配置することができる。
【００３７】
付加的なシールドパネル３０３、３０５は領域３０２、３０４間及び領域３０４、３０６間に付加される。この目的のためにスチールを使用することができ、これはポッドの受動の即ち構造上の部分とすることができる。
【００３８】
ポッド１０２又は１０４に隣接する領域３０４、３０８上に側壁は無い。ポッド１０３は水密風雨シールでポッド１０２、１０４に接続することができ、又、可動性の建造物のための規格建造物コードに従って土台へのその係留のための準備を有する。領域３０４、３０８はそれを患者領域にするために床、壁及び天井の内部仕上げに適する。
【００３９】
ポッド１０３は医療用の放射線源を収容するものの如き医学処置装置を保持するようになっている。このような設備のいくつかの製造者がおり、特に構造体及びポッド１０３のデザインは出来るだけ多くの処置装置の異なる種類及びモデルの組み込みを可能とするように経済的に許容できる範囲で普遍的とする。一般に、機械の平均重量は１８，０００ポンド（約８．１７トン）であり、ベースプレート３１０の如きベースプレートにボルト止めされる。機械を保持するボルトは機械の一端にあり、重量の大部分はボルトの前方数十フィートに位置し、トルクの大きなモーメントを生み出す。スチールベースフレームはポッド１０３のスチールフレームに組み込まれ、このトルクを収容する。フレームは十分に剛直であり、そのため、移送中のいかなる曲げ又は捩りにも拘らず、ポッド１０３のフレームが精確に平らにされた土台上に置かれたときに、機械は製造者の仕様内で同じ水準になる。制御コンソール、モジュレータラック、パワートランスフォーマ及びパワーフィルタを含む他の電気設備もポッド１０３内に装着できる。配線導体がフレーム内に形成され、電気設備を給電する。
【００４０】
ポッド１０４はいくつかの小さな例外を除いてポッド１０２と実質上鏡面対称である。ポッド１０４はポッド１０３、１０５間に嵌合し、アーチ形ドアを含まない。更に、ポッド１０２の部分２２２は外部ドアを含んだが、ポッド１０４の同等の部分は洗浄台のための配管の如き他の設備を含むことができる。
【００４１】
ポッド１０５はポッド１０１と実質上鏡面対称であるが、ポッド１０１の部分２１２に匹敵する部分は貯蔵、休憩室等の別の目的に適している。
図８、８Ｂを参照すると、ポッド１０６は基礎ポッド１０１ないし１０５の頂部にこれに垂直に置かれるべき４つの屋根シールドコンテナの１つである。各屋根シールドコンテナは標準の搬送コンテナと同じ外形寸法を有するように作られる。ポッド１０６はモジュラーユニットの後部に置かれる。ポッド１０６の底部は基礎ポッド１０１ないし１０５の頂部に取付ける。ポッド１０７に取付けるポッド１０６の側部は壁を有しないが、これは上方及び下方のフレームセグメント間に中央の剛直な支持体を含む。仕上げたとき、これはＤＯＴ規則及びコードを満たし、コンテナ移動器により終点から持ち上げることができる。また、このポッドは５個のコンテナの高さに積み重ねることができ、他のコンテナは各々９６，０００ポンド（約約４３．６トン）の総重量を有し、９６，０００ポンド（約約４３．６トン）の総重量で搬送することができる。付加的なシールド及び屋根支持構造体を伴うが放射線シールドフィル材料を伴わないポッドの搬送重量は好ましくは特別な許可無しにトラックにより移動するためのＤＯＴ搬送規則と矛盾しない。
【００４２】
すべての屋根ポッドの場合のように、ポッド１０１及びポッド１０５上方並びにポッド１０２、１０３、１０４におけるシールドコンテナ上方での領域においてポッド１０６内には床が存在しないが、基礎ポッドの処理部屋部分の上方にはスチール製床が存在する。更に、（すべての屋根ポッドの場合のように）ポッド１０６のすべてを覆う天井即ち屋根が存在する。放射線シールド材料で充填されたとき、フィルの合計重量は、下方のポッド内のシールド上及びこのポッドの既存の領域内の床上の重量がほぼ５．３ポンド／平方インチ（約３．７トン／平方メートル）で、２４３，０００ポンド（約１１０．４トン）になり得る。側壁上の横方向の力は１１５，５２０ポンド（約５２．４トン）になり得る。横方向の力はポッドの底部の近傍で生じるほぼ５．３ポンド／平方インチ（約３．７トン／平方メートル）となり得る。壁の材料、厚さ及び支持体はこの代表的な荷重又は応用に応じたあらゆる特定の荷重を支持するように選択すべきである。真空ポンプがシールド材料をコンテナに充填し及び空にすることができるように、接近ポートを適当な間隔で配置することができる。特に、接近ポート３２５は常閉のバネ負荷覆いフラップを伴った一連の離間した穴として屋根に沿って設けることができ、これらのフラップを通して、屋根ポッドの内部空間への接近を選択的に提供できる。
【００４３】
ポッド１１６はポッド１０１、１０５内の４つのスチール支持体１２０により支持される。このポッドは曲がることなく、又３つのポッド１０２、１０３、１０４上にいかなる不当な応力をも与えずにこれらのポッドを跨ぐように構成され、スチール製の床上の荷重を支持体１２０に分配するように一対のＩ形梁３２０、３２１を含む。
【００４４】
ポッド１０７は基礎ポッド１０１ないし１０５上にこれらに垂直に置かれるべき４つの屋根シールドコンテナのうちの別のコンテナである。このポッドはモジュラーユニットの後部においてポッド１０６の前面にこれと隣接して置かれる。ポッド１０７の底部は基礎ポッド１０１ないし１０５の頂部に取付ける。ポッド１０８に取付けたポッド１０７の側部は壁を有さず、これは、ギャップ及び（又は）屋根を通る放射線漏洩を最小化する助けとなる。ポッド１０７は５つの基礎ポッド及びポッド１０６、１０８に取付ける。ポッド１０１及びポッド１０５の上方の領域内では、ポッド１０７に床は無い。放射線シールド材料で充填されたとき、フィルの合計重量は、下方のポッド内のシールド上及びこのポッドの既存の領域内の床上の重量がほぼ５．３ポンド／平方インチ（約３．７トン／平方メートル）で、２４３，０００ポンド（約１１０．４トン）になり得る。側壁上の横方向の力は１１５，５２０ポンド（約５２．４トン）になり得る。壁の材料、厚さ及び支持体はこの代表的な荷重又は応用により決定される特定の荷重を支持するように選択すべきである。真空ポンプがシールド材料をコンテナに充填し及び空にすることができるように、接近ポートを適当な間隔で配置することができる。
【００４５】
ポッド１０７はポッド１０１、１０５内の支持体１２０により支持される。このポッドは曲がることなく、又３つのポッド１０２、１０３、１０４上にいかなる不当な応力をも与えずにこれらのポッドを跨ぐように構成され、又ポッド１０２ないし１０４を跨いで、荷重を支持体１２０に分配するように４つのＩ形梁を含む。
【００４６】
ポッド１０８は基礎ポッド１０１ないし１０５上にこれらに垂直に置かれるべき４つの屋根シールドコンテナのうちの１つである。このポッドはモジュラーユニットの中央の近傍でポッド１０７の前面にこれと隣接して置かれる。ポッド１０８の底部は基礎ポッド１０１ないし１０５の頂部に取付ける。ポッド１０８の一側はポッド１０７に取り付け、他側はポッド１０９に取付ける。ポッド１０１及びポッド１０５の上方の領域内では、ポッド１０８に床は無い。放射線シールド材料で充填されたとき、フィルの合計重量は、下方のポッド内のシールド上及びこのポッドの既存の領域内の床上の重量のほぼ５．３ポンド／平方インチ（約３．７トン／平方メートル）で、２４３，０００ポンド（約１１０．４トン）になり得る。側壁上の横方向の力は１１５，５２０ポンド（約５２．４トン）になり得る。他のポッドに関して上述したように、壁の材料、厚さ及び支持体はこの代表的な荷重を支持するように選択すべきである。真空ポンプがシールド材料をコンテナに充填し及び空にすることができるように、接近ポートを適当な間隔で配置することもできる。
【００４７】
ポッド１０８はポッド１０１、１０５内の支持体１２０により支持される。このポッドは曲がることなく、又３つのポッド１０２、１０３、１０４上にいかなる不当な応力をも与えずにこれらのポッドを跨ぐように構成され、又ポッド１０２ないし１０４を跨いで、荷重を支持体１２０に分配するように４つのＩ形梁を含む。
【００４８】
図９、９Ａを参照すると、ポッド１０９は基礎ポッド１０１ないし１０５上にこれらに垂直に置かれるべき４つの屋根シールドコンテナのうちの１つである。このポッドはユニットの中央の近傍でポッド１０８の前面にこれと隣接して置かれる。ポッド１０９の底部５０５は基礎ポッド１０１ないし１０５の頂部に取付ける。ポッド１０１及びポッド１０５の上方及びポッド１０２、１０３、１０４内のシールドコンテナの上方の領域内では、ポッド１０９に床は無い。放射線シールド材料で充填されたとき、フィルの合計重量は、下方のポッド内のシールド上及びこのポッドの既存の領域内の床上の重量がほぼ５．３ポンド／平方インチ（約３．７トン／平方メートル）で、２４３，０００ポンド（約１１０．４トン）になり得る。側壁上の横方向の力は１１５，５２０ポンド（約５２．４トン）になり得る。他のポッドに関して上述したように、壁の材料、厚さ及び支持体はこの代表的な荷重を支持するように選択すべきである。真空ポンプがシールド材料をコンテナに充填し及び空にすることができるように、接近ポートを適当な間隔で配置することもできる。
【００４９】
ポッド１０９はポッド１０１、１０５内の支持体１２０により支持される。このポッドは曲がることなく、又３つのポッド１０２、１０３、１０４上にいかなる不当な応力をも与えずにこれらのポッドを跨ぐように構成され、又ポッド１０２ないし１０４を跨いで、荷重を支持体１２０に分配するようにＩ形梁５２０、５２１を含む。
【００５０】
ポッド１１０は５つの屋根ポッドの１つである有用物領域である。ポッド１１０は基礎ポッド１０１ないし１０５上にこれらに垂直に置かれる。ポッド１１０はその中に形成された数個の部屋を有する。これらの部屋は有用物領域のためのものであり、必要に応じて、電気、電話、配管及び他の有用物のための局部建造物コードと矛盾しないように形成される。
【００５１】
ポッド１１０はまたポッド１０１、１０５内に置かれた支持体により支持することができるものと考慮される。しかし、ポッド１１０が放射性フィル材料を含まないので、ポッド１１０の荷重はポッド１０６ないし１０９のうちのあらゆるポッドの荷重よりも実質上小さく、従って、あらゆる普通の様式で支持することができるものと考慮される。
【００５２】
モジュラー構造体の１つの変形例において、構造体を簡単で有効な方法で完成させた後に医学装置を取り外し、交換することができる。この変形例は、構造体の残りの部分及び大半の放射線フィル材料を適所に残したまま、医学装置及びあらゆる関連する制御装置を収容するポッド１０３の部分を除去及び交換できるように、ポッド１０３、１０９に対する修正を含む。
【００５３】
ここで、図１０、１１に戻ると、ポッド１０３の修正バージョンであるポッド１０３ａが示してある。ポッド１０３ａは鉛シールド４０３により放射性処置部屋５０から隔離された放射線フィル区分４０２を有する。ポッド１０３ａの除去可能な部分は処理部屋部分４０４、バリア部分４２０及び制御部屋部分４０６を含む。処理部屋部分４０４は医学装置に結合され、処理部屋部分４１０、４０８に関して取り外しできるベースプレートを含む。制御部屋部分４０６は関連する制御設備及び電子機器を含み、部分４２０、４０４と電気的に結合されこれらと一体になっている。
【００５４】
ポッド１０３ａ内の部分４１６、４１８、４２０からなるバリアは放射線シールドフィル材料で充填することができる。部分４１６、４１８は相対的に固定され、医学装置の交換作業中さえシールド材料で通常充填されたままである。中央のバリア部分４２０はポッド１０３ａの取り外し可能な区分の一部であり、医学装置を除去及び交換するのに必要なときにその放射線フィル材料を空にすることができる。部分４２０に当接する放射線フィル部分４１６、４１８の壁は、部分４２０が空にされたときにフィル材料の荷重を収容するように補強される。
【００５５】
医学装置のための関連する電子制御子は部分４０６に含まれ、この部分は部分４１２、４１４間から摺動で取り出すようになっている。各区分４０４、４２０、４１６は好ましくは一緒に結合されるが、これらは別個に取り外すことができる。更に、ポッド１０３ａの取り外し可能な部分を容易に結合解除し、取り外し、交換できるように、ローラ又は他の摺動補助手段が好ましくは取り外し可能な区分の下方に設けられる。
【００５６】
更に、ポッド１０３ａの取り外し可能な部分が取り外されるときに、部分４２０の上方の屋根区分からのフィル材料の流れを停止させる手段を講じることができる。ここで、図１２、１３に戻ると、ポッド１０９の修正バージョンであるポッド１０９ａが示されている。ポッド１０９ａはポッド１０３ａ内の部分４２０を覆うように位置する中央の台形部分４５０を除いてはポッド１０９と実質上同一である。部分４５０は補強されたスチールで構成され、ポッド１０３ａの取り外し可能な部分を取り外すべきときに放射線フィル材料を部分４５０に充填し及び空にするための接近ポートを有する。部分４５０の横方向側部は医学装置の除去及び交換中に部分４２０内への落下しようとするポッド１０９ａ内の残りの放射線フィル材料の荷重を収容するように構成される。
【００５７】
本開示が提供されたときに当業者なら認識できるように、モジュラー構造体は適正な整合でポッドを順次配置し、接続することにより形成することができる。ポッドの構成及び整合を容易にするため、隣接するポッドは迅速係止及び（又は）整合装置を具備することができ、及び（又は）ポッドはあらゆる普通の方法で接続することができる。例えば、２つのポッドの隣接する側部は、隣接するポッドのそれぞれのポストまたは受け入れ穴に整合するようにポスト及び受け入れ穴を具備することができる。
【００５８】
ここで、図１５Ａに戻ると、一対の基礎ポッドの下方レール９２間の代表的な接続が示されている。レール９２ａの整合ポスト５１５はレール９２ｂの穴５１６内に受け入れられ、２つのレールはボルト及び係止ワッシャ組立体５３０により固定される。
【００５９】
図１５Ｂに戻ると、隣接するポッドの隅部での垂直ポスト９４間の代表的な接続が示されている。壁区分５１１ｂを含むポスト９４ｂは、長いボルト組立体５３１により、隣接する壁区分５１１ａを含むポスト９４ａに接続される。
【００６０】
ここで、図１５Ｃに戻ると、隣接するポッド間の内部壁接続が示されている。隣接するレール９６又は同等の壁支持体２０２はボルト組立体５３２により接続される。１又はそれ以上のレール９６は壁３０３（図７参照）の如き補強された壁部分を有することができる。
【００６１】
図１５Ｄに示すように、天井パネル５４０ａ、ｂを保持する（隣接するポッドの）レール９６ａ、ｂは隣接する内部壁部分と同様の様式で接続される。天井パネル５４０ａ、５４０ｂは中央の処理領域５０の上方の天井とすることができ、または、天井パネルはポッド１０６、１０７間のそれぞれの接続の場合のように全体の構造体の上方の屋根として役立つことができる。
【００６２】
図１５Ｅに戻ると、ポッド１０１の内部部分とポッド１０２のドアガセット５４０との間の代表的な接続が示されている。支持体２０２で補強された代表的な壁パネル５１０は標準のボルト組立体によりドアガセット５４０の部分に固定される。
【００６３】
ここで、図１５Ｆに戻ると、屋根ポッドの端部とポッド１０１、１０５の外側壁との間の代表的な接続が示されている。基礎ポッドの外側壁５１０からの上方フレームレール９６はポッド２０７の如き屋根ポッドの底部を形成する下方の梁９２を保持するボルト組立体を受け入れる。スペーサ５５０もまたポッド間に含ませることができる。
【００６４】
ここで、図１５Ｇに戻ると、屋根ポッド内のＩ形梁と基礎ポッド内の屋根支持体との間の代表的な接続が示されている。Ｉ形梁３２１（図８−８Ｂ参照）はボルト組立体により屋根ポッドの床を通して支持体１２０（図３参照）の頂部の平坦な部分に接続される。
【００６５】
更に、個々のポッドの各々の各放射線フィル材料収容区分は放射線フィル材料を充填し除去するためのそれ自身の接近ポート（単数又は複数）を含むことができるが、１つの実施の形態においては、屋根ポッドのみが接近ポートを有する。この実施の形態では、接近ポートは屋根ポッドの頂部屋根区分に沿うことができ、これらの屋根ポッド内に提供された放射線フィル材料は重力により基礎ポッド１０１ないし１０５の適当な部分内へ流入することができる。
【００６６】
また、モジュラー構造体は、ポッドを順次結合解除し、取り外すことにより、解体できるものと考慮される。屋根ポッドに対しては、放射線フィル材料はポッドを持ち上げる前にコンテナから汲み出すか又は他の方法で除去することができる。バリア区分に床が無いので、基礎ポッドは、フィラー材料が背後に残った状態で、その端部により持ち上げることができる。フィラーがポッドの内部に付着しないことを保証するようにポッドが持ち上げられているときに、ポッドの側部を叩く必要があることがある。代わりに、フィラー材料はその除去前に基礎ポッドから汲み出すことができる。
【００６７】
好ましい実施の形態においては、放射線シールドフィラー材料は砂又は別の固形の流動可能な又は粒状の放射線吸収材料であるが、他の形式のフィラー材料を使用することができる。例としては、限定されないが、シリカ、泥、鉛、鉛ショット、スチール、（金属穴明け片の如き）スクラップ片及び種々のこれらの組み合わせ又は混合物がある。空気袋を提供することにより及び（又は）ポッドが構成された後にバリア区域全体をかしめることにより、バリア区域が実質上流体密に作られる場合は、フィラー材料は（水の如き）液体又は（流動可能なフィルコンクリートの如き）スラリーとすることができる。更に、特定の形式のシールド材料及びバリア区分の物理的寸法は、特定の応用及び特定の放射線源に基づく必要な放射線シールドを提供するように、共に変えることができ、選択することができることが期待される。全体を通して説明したように、フィル材料の密度はバリアの壁上の荷重を少なくともある程度決定し、壁は予期される荷重及びあらゆる適用可能な建造物コート又は構成技術に基づいて適当に構成及び（又は）補強することができる。
【００６８】
ここで示した構造体は自立ポッドから実質上全体的に構成されるが、ポッドは処理設備の一部のみを形成できることが期待される。例えば、構造体及び（又は）バリアの残りのもの（即ち、図示の実施の形態では、ポッドの残りのものにより形成されたもの）が現在知られているか以後に開発されるあらゆる建造技術により構成できるように、ポッド１０２及び（又は）１０３を提供することができる。例えば、構造体の部分は、置かれたポッドのまわりで組み立てられ、配置される、予め形成されるが折り畳んだ部分として搬送することができる。
【００６９】
ここで開示した手段が本発明を有効にする好ましい形からなるので、本発明は図示し、説明した特定の特徴に限定されないことを理解すべきである。それ故、本発明は、等価の教義に従って適当に解釈される特許請求の範囲の適正な範囲内でのその形又は修正のあらゆるものとして請求される。
【図面の簡単な説明】
【００７０】
【図１】本発明の１つの実施の形態に係る組立てられたモジュラー構造体の斜視図である。
【図２】図１のモジュラー構造体の部分断面分解部品斜視図である。
【図３】図１の構造体の第１の床レベルの頂面図である。
【図４】図１の構造体の第２の床レベルの頂面図である。
【図５】図５は図３、４の実施の形態における第１のポッドの頂面図であり、図５Ａは図５のポッドの完全断面側立面図であり、図５Ｂは隣接する壁セグメント及び壁支持体の完全断面部分拡大頂面図である。
【図６】図６は図３、４形態からの第２のポッドの頂面図であり、図６Ａは図６のポッドの完全断面側立面図であり、図６Ｂは図６のポッドの完全断面頂面図である。
【図７】図３、４の実施の形態からの第３のポッドの完全断面側立面図である。
【図８】図８は図４からの第６の第２床ポッドの頂面図であり、図８Ａは図８のポッドの完全断面側立面図であり、図８Ｂは図８のポッドの完全断面端立面図である。
【図９】図９は第９の第２床ポッドの頂面図であり、図９Ａは図９のポッドの完全断面端立面図である。
【図１０】図３、４の実施の形態における第３のポッドのための別の構成の完全断面頂面図である。
【図１１】図１０のポッドの完全断面側立面図である。
【図１２】図３、４の実施の形態における第９の屋根ポッドのための別の構成の頂面図である。
【図１３】図１２のポッドの完全断面側立面図である。
【図１４】図１４は引き戻し可能な敷居のための持ち上げ機構の前立面図であり、図１４Ａは閉じたアーチ形ドアに隣接する上昇位置における図１４の敷居の完全断面側立面図である。
【図１５】図１５Ａは隣接するポッドの長い側部を形成する下方のレール間の代表的な接続を示す部分断面端立面図であり、図１５Ｂは隣接するポッドの隅部ポスト間の代表的な接続を示す部分断面頂面図であり、図１５Ｃは隣接するポッドの内部壁セグメント間の代表的な接続を示す部分断面頂面図であり、図１５Ｄは隣接するポッド間の上方レール接続を示す部分断面端立面図であり、図１５Ｅはポッドのドアガセット部分への隣接するポッドの接続を示す部分断面頂面図であり、図１５Ｆは外壁を備えた屋根ポッドの端部と基礎ポッドのフレームとの間の代表的な接続を示す部分断面側立面図であり、図１５Ｇは基礎ポッドにおける屋根支持構造体に対する屋根ポッドにおける荷重支持梁の代表的な接続を示す部分断面側立面図である。
【国際公開パンフレット】
2004529357.tif 000003
2004529357.tif 000004
2004529357.tif 000005
2004529357.tif 000006
2004529357.tif 000007
2004529357.tif 000008
2004529357.tif 000009
2004529357.tif 000010
2004529357.tif 000011
2004529357.tif 000012
2004529357.tif 000013
2004529357.tif 000014
2004529357.tif 000015
2004529357.tif 000016
2004529357.tif 000017
2004529357.tif 000018
2004529357.tif 000019
2004529357.tif 000020
2004529357.tif 000021
2004529357.tif 000022
2004529357.tif 000023
2004529357.tif 000024
2004529357.tif 000025
2004529357.tif 000026
2004529357.tif 000027
2004529357.tif 000028
2004529357.tif 000029
2004529357.tif 000030
2004529357.tif 000031
2004529357.tif 000032
2004529357.tif 000033
2004529357.tif 000034
2004529357.tif 000035
2004529357.tif 000036
2004529357.tif 000037
2004529357.tif 000038
2004529357.tif 000039
2004529357.tif 000040
2004529357.tif 000041
2004529357.tif 000042
2004529357.tif 000043
2004529357.tif 000044
2004529357.tif 000045
2004529357.tif 000046
2004529357.tif 000047
【国際公開パンフレット（コレクトバージョン）】
2004529357.tif 000048
2004529357.tif 000049
【国際調査報告】
2004529357.tif 000050